(57)【要約】【課題】  山海両産出物の両立した低コストで且つ希少価値のある装身具を提供する。【解決手段】  装飾物４を、陸地から産出した貴石である青色、緑色、灰色、黒色に染色されているカルセドニー材２と、海洋から産出したアコヤ真珠、白蝶真珠、黒蝶真珠、淡水真珠のいずれかのパール材３との組み合わせとする。装飾物４は、紐材５または保形線材７に沿って同一サイズもしくは異なるサイズのカルセドニー材２を隣接配置し、当該カルセドニー材２の複数個置きに単数もしくは複数のパール材３を介在配置して成るものとする。【選択図】      図１
0003104399.tif 000002
【実用新案登録請求の範囲】
【請求項１】
装飾物に紐材または保形線材が貫挿されて成るネックレス、ブレスレット、アンクレット、指輪等の装身具であって、装飾物は陸地から産出された貴石であるカルセドニー材と海洋から産出されたパール材とを組み合わせたものであることを特徴とする装身具。
【請求項２】
装飾物は、紐材または保形線材に沿って同一サイズもしくは異なるサイズのカルセドニー材が隣接配置され、当該カルセドニー材の複数個置きに単数もしくは複数のパール材が介在配置されて成る請求項１記載の装身具。
【請求項３】
装飾物は、紐材または保形線材に沿って同一サイズもしくは異なるサイズのカルセドニー材が隣接配置され、当該カルセドニー材の一個置きにパール材が介在配置されて成る請求項１記載の装身具。
【請求項４】
装飾物は、青色、緑色、灰色、黒色に染色されているカルセドニー材と、アコヤ真珠、白蝶真珠、黒蝶真珠、淡水真珠のいずれかのパール材とから成る請求項１乃至３のいずれか記載の装身具。
【考案の詳細な説明】
【技術分野】
【０００１】
本考案は、複数種類の装飾物を備えた例えばネックレス、ブレスレット、アンクレット、指輪等の装身具に関するものである。
【背景技術】
【０００２】
従来、この種の装身具は、ダイヤモンド、サファイヤ、ルビー、エメラルド等の貴石やパール材等による品質の高い装飾物を合成樹脂製または金属製等の紐材、あるいは任意の形状に塑性変形させた保形線材によって貫挿して連綴し、紐材または保形線材の両端部を環状フック等の留め具でもって連結可能とした構成となっている。
【特許文献１】特になし
【考案の開示】
【考案が解決しようとする課題】
【０００３】
しかしながら、従来の装身具では、装飾物として種々の貴石のみを使用したもの、あるいはパール材のみを使用したもが数多く存在するが、貴石とパール材とを併用した装身具はかえって高額なものとなるため、特別な場合を除き、製作される頻度があまり少ないものであった。特に、山等の陸地から様々な色や模様で産出された貴石である和名が玉髄と称されるところのカルセドニー材を、海洋から産出された真珠である俗称パール材と併用して構成された装身具は全く存在しないものであった。尚、このカルセドニー材は、二酸化珪素を組成分とした所謂クオーツの微細な粒子が寄り集まってできた集合体である。
【０００４】
そこで本考案は叙上のような従来存した諸事情に鑑み案出されたもので、装飾物に紐材または保形線材が貫挿されて成る例えばネックレス、ブレスレット、アンクレット、指輪等の装身具において、陸地から産出された貴石を、海洋から産出されたパール材と併用させることで、山海両産出物の両立された低コストで且つ希少価値のある装身具を提供することを目的とする。
【課題を解決するための手段】
【０００５】
上述した課題を解決するため、本考案にあっては、装飾物４に紐材５または保形線材７が貫挿されて成るネックレス、ブレスレット、アンクレット、指輪等の装身具１であって、装飾物４は陸地から産出された貴石であるカルセドニー材２と海洋から産出されたパール材３とを組み合わせたものである。
装飾物４は、紐材５または保形線材７に沿って同一サイズもしくは異なるサイズのカルセドニー材２が隣接配置され、当該カルセドニー材２の複数個置きに単数もしくは複数のパール材３が介在配置されて成るものとできる。
装飾物４は、紐材５または保形線材７に沿って同一サイズもしくは異なるサイズのカルセドニー材２が隣接配置され、当該カルセドニー材２の一個置きにパール材３が介在配置されて成るものとできる。
装飾物４は、青色、緑色、灰色、黒色に染色されているカルセドニー材２と、アコヤ真珠、白蝶真珠、黒蝶真珠、淡水真珠のいずれかのパール材３とから成るものとすることができる。
【０００６】
以上のように構成された本考案に係る装身具１にあって、装飾物４を陸地から産出された貴石である青色、緑色、灰色、黒色に染色されているカルセドニー材２と、海洋から産出されたアコヤ真珠、白蝶真珠、黒蝶真珠、淡水真珠のいずれかのパール材３とを組み合わせたものとすることにより、山海両産出物の両立した神秘的な価値感を現出させる。
【考案の効果】
【０００７】
本考案によれば、装飾物４に紐材５または保形線材７が貫挿されて成る例えばネックレス、ブレスレット、アンクレット、指輪等の装身具１において、陸地から産出された貴石を、海洋から産出されたパール材３と併用させることにより、山海両産出物の両立された低コストで且つ希少価値のある装身具１を提供することができる。
【０００８】
すなわちこれは本考案が、装飾物４を、陸地から産出された貴石であるカルセドニー材２と、海洋から産出されたパール材３とを組み合わせたものとしたからであり、これにより、山海両産出物の両立した神秘的な価値感を容易に現出させることができる。
【０００９】
装飾物４は、紐材５または保形線材７に沿って同一サイズもしくは異なるサイズのカルセドニー材２が隣接配置され、当該カルセドニー材２の複数個置きに単数もしくは複数のパール材３が介在配置されて成るので、主体となる陸地の産出物の中に海洋の産出物が混在した審美観のある装身具１を容易に製作することができる。
【００１０】
装飾物４は、紐材５または保形線材７に沿って同一サイズもしくは異なるサイズのカルセドニー材２が隣接配置され、当該カルセドニー材２の一個置きにパール材３が介在配置されて成るので、陸地の産出物と海洋の産出物との調和の採れた審美観のある装身具を容易に製作することができる。
【００１１】
装飾物４は、青色、緑色、灰色、黒色に染色されているカルセドニー材２と、アコヤ真珠、白蝶真珠、黒蝶真珠、淡水真珠のいずれかのパール材３とから成るので、青色、緑色、灰色、黒色の陸地の産出物と、所定色の海洋の産出物とのコントラストによって色彩感の溢れたしかも神秘的で審美観のある装身具１を容易に製作することができる。
【００１２】
尚、上記の課題を解決するための手段、考案の効果の項夫々において付記した符号は、図面中に記載した構成各部を示す部分との参照を容易にするために付したもので、図面中の符号によって示された構造・形状に本考案が限定されるものではない。
【考案を実施するための最良の形態】
【００１３】
以下図面を参照して本考案を実施するための最良の一形態を説明すると、図において示される符号１は、ネックレスとして形成された装身具であり、該装身具１は、山等の陸地から産出された貴石である青色、緑色、灰色、黒色その他に染色されたカルセドニー材２と、海洋から産出されたアコヤ真珠、白蝶真珠、黒蝶真珠、淡水真珠等のいずれかの例えば白色のパール材３とによる装飾物４を任意に組み合わせて例えば合成樹脂製または金属製等の紐材５を貫挿し、紐材５の両端部側を留め具６でもって連結可能とした構成としてある。
【００１４】
尚、図示による説明を省略したが、本考案による装飾物４を、ネックレス以外の例えばブレスレット、アンクレット、指輪等の装身具１に採用しても良い。
【００１５】
カルセドニー材２は、二酸化珪素を組成分とした所謂クオーツの微細な粒子が寄り集まった構造を有し、しかもこのような微結晶体が固まって大きな塊となった所謂集合体と呼ばれる屈折率１．５３〜１．５４、モース硬度６，５〜７、比重２．５５〜２．７０を有するポピュラーであっても神秘性を備えた宝石の一種である。また、集合体は、それを構成する結晶の大きさによって様々に分類できるものとされており、このようなカルセドニー材２の場合には、潜晶質集合体に分類される。尚、古代の遺跡発掘による神秘的な碧玉製の勾玉もカルセドニー材２の一種である。
【００１６】
パール材３は、例えば白色のものとされるが、カルセドニー材２の各種色彩のものと組合わせるとき、白色以外の黒色、ピンク色その他の色彩のものとされることもある。
【００１７】
次に、紐材５が貫挿される装飾物４の具体的な配置構成について説明すれば、図１乃至図３に示すように、紐材５に沿って同一サイズもしくは大小の異なるサイズのカルセドニー材２が隣接配置され、当該カルセドニー材２の複数個置きに単数もしくは複数のパール材３が介在配置されるものとしてある。
【００１８】
すなわち、図１に示すように、紐材５の中央で同一サイズのパール材３が４個並び、その両側に大サイズ、中サイズ、小サイズの３個のカルセドニー材２が左右対称的に配置され、その両側に１個のパール材３を介して大小サイズの２種類で合計９個のカルセドニー材２が、例えば大サイズが２個、小サイズが３個、大サイズが１個、小サイズが３個となる順に左右対称的に配置される。
【００１９】
また、図２に示すように、大サイズのパール材３相互間に小サイズの同じカルセドニー材２が４個隣接して介在配置されるものとしてある。
【００２０】
さらに、図３に示すように、紐材５の一端側を留め具６を介して更に延長させ、この紐材５に沿って同一サイズもしくは大小の異なるサイズのカルセドニー材２が隣接配置され、当該カルセドニー材２の複数個置きに大サイズの単数のパール材３が介在配置されるものとしてある。
【００２１】
紐材５が貫挿される装飾物１の他の具体的な配置構成としては、図４に示すように、星型に成形された保形線材７に沿って同一サイズもしくは異なるサイズのカルセドニー材２が隣接配置され、当該カルセドニー材２の一個置きにパール材３が介在配置されるものとしてある。すなわち、例えば金属製の塑性ワイヤー等の保形線材７を星形に成形しておき、共に大サイズのカルセドニー材２とパール材３とを、星形の保形線材７の屈曲位置で交互に配列させ、カルセドニー材２、パール材３相互間に小サイズの２個のカルセドニー材２と２個のパール材３との合計４個を交互に隣接させた構成としてある。
【００２２】
尚、上記した装飾物の具体的な配置構成は、本考案の一部に過ぎず、この他の様々な配列パターンによるものとしても良いことは勿論である。また、装飾物４の上記した大中小の各サイズとしては、例えば球体半径の比率が例えば３：２：１となるようなサイズに採ることができるが、さらに他の比率であっても差し支えないものである。
【図面の簡単な説明】
【００２３】
【図１】本考案を実施するための最良の形態を示す装身具の使用状態の斜視図である。
【図２】同じく他の実施の形態を示す装身具の正面図である。
【図３】同じく更に他の実施の形態を示す装身具の正面図である。
【図４】同じく更に他の実施の形態を示す装身具の正面図である。
【符号の説明】
【００２４】
１…装身具                              ２…カルセドニー材
３…パール材                            ４…装飾物
５…紐材                                ６…留め具
７…保形線材
【図１】
0003104399.tif 000003
【図２】
0003104399.tif 000004
【図３】
0003104399.tif 000005
【図４】
0003104399.tif 000006